(57)【要約】【課題】様々なひも靴に装着して利用できる靴紐発光ユニット及び靴紐発光装置を提供することを目的とする。【解決手段】靴紐発光ユニット１は、光を導光するとともに、少なくとも一部が透明であり、可撓性を有する長尺状の靴紐２０と、発光ダイオード１４０を装置本体１１０の内部に備えた靴紐発光装置１０とで構成し、装置本体１１０に、靴紐２０の端部の挿入を許容する靴紐挿入部１１１を備え、発光ダイオード１４０を、装置本体１１０の内部において、靴紐挿入部１１１に挿入した靴紐２０の端面と対向する位置に配置したことを特徴とする。【選択図】図１
2016039000.tif 000002
【特許請求の範囲】
【請求項１】
光を導光するとともに、少なくとも一部が透明であり、可撓性を有する長尺状の靴紐と、
発光器を筐体内部に備えた靴紐発光装置とで構成し、
前記筐体に、前記靴紐の端部の挿入を許容する靴紐挿入部を備え、
前記発光器を、前記筐体内部において、前記靴紐挿入部に挿入した前記靴紐の端面と対向する位置に配置した
靴紐発光ユニット。
【請求項２】
前記靴紐挿入部を、前記筐体の幅方向両側に配置するとともに、
前記筐体における前記幅方向中央に、前記発光器に電源を供給する電池を配置し、
前記発光器を、前記筐体内部における、前記電池と前記靴紐挿入部との間にそれぞれ配置した
請求項１に記載の靴紐発光ユニット。
【請求項３】
前記電池の収容を許容する電池収容ケースを備え、
該電池収容ケースに、
前記筐体に対して、前記幅方向に対して交差する高さ方向上方からスライドして挿入するスライド手段と、
収容状態から前記高さ方向下方に抜け出ることを防止する抜け出し防止手段とを備えた
請求項１または２に記載の靴紐発光ユニット。
【請求項４】
前記筐体に、
内部に配置した前記発光器で発光した光を外部に向かって放出する窓部を備えた
請求項１乃至３のうちいずれかひとつに記載の靴紐発光ユニット。
【請求項５】
前記筐体における裏側面を、装着対象箇所の表面に沿った円弧状に形成するとともに、
前記裏側面に、略半球状に突出する滑り止め部を複数形成した
請求項１乃至４のうちいずれかひとつに記載の靴紐発光ユニット。
【請求項６】
前記発光器を、発光ダイオードで構成した
請求項１乃至５のうちいずれかひとつに記載の靴紐発光ユニット。
【請求項７】
紐穴に前記靴紐を装着して、
請求項１乃至５のうちいずれかひとつに記載の靴紐発光ユニットを装着した
ひも靴。
【請求項８】
光を導光するとともに、少なくとも一部が透明であり、可撓性を有する長尺状の靴紐の端部の挿入を許容する靴紐挿入部を備えた筐体と、
該筐体内部に備えた発光器とで構成するとともに、
前記発光器を、前記筐体内部において、前記靴紐挿入部に挿入した前記靴紐の端面と対向する位置に配置した
靴紐発光装置。
【請求項９】
前記靴紐挿入部を、前記筐体の幅方向両側に配置するとともに、
前記筐体における幅方向中央に、前記発光器に電源を供給する電池を配置し、
前記発光器を、前記筐体内部における、前記電池と前記靴紐挿入部との間にそれぞれ配置した
請求項８に記載の靴紐発光装置。
【請求項１０】
前記電池の収容を許容する電池収容ケースを備え、
該電池収容ケースに、
前記筐体に対して、前記幅方向に対して交差する高さ方向上方からスライドして挿入するスライド手段と、
収容状態から高さ方向下方に抜け出ることを防止する抜け出し防止手段とを備えた
請求項８または９に記載の靴紐発光装置。
【請求項１１】
前記筐体に、
内部に配置した前記発光器で発光した光を外部に向かって放出する窓部を備えた
請求項８乃至１０のうちいずれかひとつに記載の靴紐発光装置。
【請求項１２】
前記筐体における裏側面を、装着対象箇所の表面に沿った円弧状に形成するとともに、
前記裏側面に、略半球状に突出する滑り止め部を複数形成した
請求項８乃至１１のうちいずれかひとつに記載の靴紐発光装置。
【請求項１３】
前記発光器を、発光ダイオードで構成した
請求項８乃至１２のうちいずれかひとつに記載の靴紐発光装置。
【発明の詳細な説明】
【技術分野】
【０００１】
この発明は、靴紐が発光する靴紐発光ユニット及び靴紐を発光させる靴紐発光装置に関する。
【背景技術】
【０００２】
近年、健康維持や体力向上を目的としたジョギングやウォーキングなどの有酸素運動を行う人が老若男女問わず多く見られる。  
ジョギングやウォーキングは、職場や学校から帰宅した日没から涼しい日の出前までの夜間に行われることが多く、夜間に行う運動を安全に行うために、例えば、特許文献１に記載の発光ユニットを備えた靴が提案されている。
【０００３】
特許文献１に記載の発光ユニットを備えた靴は、発光器、電池、制御回路（制御基板）及びスイッチで構成された発光ユニットを収納部に備えた靴であり、歩行する際の振動によってスイッチを切り替えて、制御回路に基づく点灯または点滅を行うことができるとされている。
【０００４】
しかし、特許文献１に記載の発光ユニットを備えた靴は、発光ユニットと専用の靴とをセットで使用することで所望の性能を発揮するため、使用者に足に合った靴や、使用者が好むデザインや機能の靴に発光ユニットを備えることができず、利用者の満足が得られなかった。
【先行技術文献】
【特許文献】
【０００５】
【特許文献１】特開平１１−１０３９０７号公報
【発明の概要】
【発明が解決しようとする課題】
【０００６】
そこで本発明は、様々なひも靴に装着して利用できる靴紐発光ユニット及び靴紐発光装置を提供することを目的とする。
【課題を解決するための手段】
【０００７】
この発明は、光を導光するとともに、少なくとも一部が透明であり、可撓性を有する長尺状の靴紐と、発光器を筐体内部に備えた靴紐発光装置とで構成し、前記筐体に、前記靴紐の端部の挿入を許容する靴紐挿入部を備え、前記発光器を、前記筐体内部において、前記靴紐挿入部に挿入した前記靴紐の端面と対向する位置に配置した靴紐発光ユニットであることを特徴とする。あるいは、光を導光するとともに、少なくとも一部が透明であり、可撓性を有する長尺状の靴紐の端部の挿入を許容する靴紐挿入部を備えた筐体と、該筐体内部に備えた発光器とで構成するとともに、前記発光器を、前記筐体内部において、前記靴紐挿入部に挿入した前記靴紐の端面と対向する位置に配置した靴紐発光装置であることを特徴とする。
【０００８】
上記発光器は、豆電球や発光ダイオードなどを含む概念であり、光を発することができるものである。  
上記透明とは、光を透過することができる無色透明、有色透明、半透明を含む概念である。
【０００９】
この発明により、様々なひも靴に装着して利用することができる。  
なお、ひも靴とは、ジョギング、ウォーキング、テニスなどに用いるシューズ、あるいはブーツや普段の生活に用いる靴などを含む概念であり、さらに、着用状態を靴紐で固定する靴、あるいは、デザインのために靴紐を装着した靴も含む概念である。
【００１０】
詳述すると、光を導光するとともに、少なくとも一部が透明であり、可撓性を有する長尺状の靴紐を、ひも靴の紐穴に通して編み上げ、発光器を筐体内部に備えた靴紐発光装置における筐体の靴紐挿入部に前記靴紐の端部の挿入し、前記筐体内部において、前記靴紐挿入部に挿入した前記靴紐の端面と対向する位置に配置した前記発光器が発光することで、発光器が発光した光を靴紐の透明部分より外部から視認可能に導光することができる。
【００１１】
つまり、靴紐は、発光器で発光した光を導光することで、あたかも靴紐自体が発光したかのように光を発することができる。  
したがって、使用者の足に合った靴、あるいは使用者が好むデザインや機能の靴であっても、靴紐を発光させ、例えば、夜間や暗闇の中であっても、視認性やデザイン性を向上することができる。
【００１２】
この発明の態様として、前記靴紐挿入部を、前記筐体の幅方向両側に配置するとともに、前記筐体における幅方向中央に、前記発光器に電源を供給する電池を配置し、前記発光器を、前記筐体内部における、前記電池と前記靴紐挿入部との間にそれぞれ配置することができる。
【００１３】
この発明により、長尺状の靴紐の両端面のそれぞれを別々の発光器に対向させることができる。そのため、長尺状の靴紐の発光量を増大することができる。さらには、例えば、異なる色の発光器を配置した場合、長尺状の靴紐を長手方向において異なる色で発光することができる。
【００１４】
またこの発明の態様として、前記電池の収容を許容する電池収容ケースを備え、該電池収容ケースに、前記筐体に対して、前記幅方向に対して交差する高さ方向上方からスライドして挿入するスライド手段と、収容状態から前記高さ方向下方に抜け出ることを防止する抜け出し防止手段とを備えることができる。  
上記高さ方向は、ひも靴への装着状態において、表裏方向及び幅方向に交差する方向であり、高さ方向上方は、上記高さ方向におけるひも靴の上方である。
【００１５】
この発明により、容易に電池を取り替えることができ、利便性を向上することができる。  
また、電池収容ケースに、抜け出し防止手段を備えているため、使用状態において、電池が不用意に高さ方向下方に抜け出ることがなく、確実に使用することができる。
【００１６】
またこの発明の態様として、前記筐体に、内部に配置した前記発光器で発光した光を外部に向かって放出する窓部を備えることができる。  
この発明により、発光装置自体からも発光するため、視認性やデザイン性をより向上することができる。
【００１７】
またこの発明の態様として、前記筐体における裏側面を、装着対象箇所の表面に沿った円弧状に形成するとともに、前記裏側面に、略半球状に突出する滑り止め部を複数形成することができる。  
この発明により、装着による違和感を低減するとともに、装着性を向上することができる。具体的には、前記筐体における裏側面を、装着対象箇所の表面に沿った円弧状に形成することによって、装着状態において、裏側面が平坦である場合に比べて、フィットするため、違和感を抑制することができる。
【００１８】
また、裏側面に略半球状に突出する滑り止め部を複数形成しているため、使用状態において、靴紐発光装置が振動によってひも靴に対して相対移動することを抑制でき、使用時における違和感を低減することができる。
【００１９】
またこの発明の態様として、前記発光器を、発光ダイオードで構成することができる。  
この発明により、消費電力が少なく、耐久性が高い発光装置を構成することができる。
【発明の効果】
【００２０】
本発明は、様々なひも靴に装着して利用できる靴紐発光ユニット及び靴紐発光装置を提供することができる。
【図面の簡単な説明】
【００２１】
【図１】光る靴紐セットを装着したひも靴の斜視図。
【図２】光る靴紐セットの説明図。
【図３】光る靴紐セットの説明図。
【図４】光る靴紐セットの説明図。
【図５】電池ケースの説明図。
【図６】光る靴紐セットの断面図。
【発明を実施するための形態】
【００２２】
この発明の一実施形態を、以下において図１から図６と共に説明する。  
なお、図１は、靴紐発光ユニットを組み付けたひも靴２１を前方Ｌｆ側の上方からみた斜視図を示し、図２は、靴紐発光ユニット１を前方Ｌｆ側の上方からみた斜視図を示している。
【００２３】
図３（ａ）は、靴紐発光ユニット１の平面図を示し、図３（ｂ）は、靴紐発光ユニット１の底面図を示している。  
図４（ａ）は、幅方向Ｗの中央から図中の左側を、靴紐発光ユニット１の正面図を示すとともに、幅方向Ｗの中央から図中の右側を、靴紐発光ユニット１の幅方向Ｗに沿った断面図を示し、図４（ｂ）は、靴紐発光ユニット１の背面図を示している。  
図５（ａ）は、電池ケース１７０の平面図を示し、図５（ｂ）は、電池ケース１７０の断面図であり、図５（ａ）中のＢ−Ｂ矢視断面図を示している。
【００２４】
図６（ａ）から図６（ｃ）は、図３（ａ）中のＡ−Ａ矢視断面図であって、図６（ａ）は、電池ケース１７０に電池を装着していない状態の靴紐発光ユニット１を示し、図６（ｂ）は、窓部１８３を押下する前の状態の靴紐発光ユニット１を示し、図６（ｃ）は、窓部１８３を押下した状態の靴紐発光ユニット１を示している。  
なお、図２から図４は、靴紐２０における長さ方向の中間部分の図示を省略している。
【００２５】
本実施形態における、一般的なひも靴２に装着される靴紐発光ユニット１は、図１及び図２に示すように、幅広な平面視楕円形の靴紐発光装置１０と、光を導光する長尺状で透明な靴紐２０とで構成し、ひも靴２の紐穴２ａに挿入して編み上げた靴紐２０の両端部を、靴紐発光装置１０の幅方向における両端部の靴紐挿入部１１１に挿入して組み付けることができる。
【００２６】
なお、ひも靴２は、普段の生活に用いる靴だけでなく、ジョギング、ウォーキング、テニスなどに用いるシューズ、あるいはブーツなど、着用状態を靴紐２０で固定する靴、あるいは、デザインのために靴紐２０を装着した靴であってもよい。
【００２７】
ここで、平面視楕円形に形成された靴紐発光装置１０の長軸に沿った方向を幅方向Ｗとし、短軸に沿った方向を前後方向Ｌとし、幅方向Ｗ及び前後方向Ｌに直交する方向を表裏方向Ｈとする。そして、靴紐発光ユニット１をひも靴２に取り付けた状態において、つま先側を前方Ｌｆとし、かかと側を後方Ｌｒとする。
【００２８】
靴紐発光装置１０は、図３及び図４に示すように、幅広な平面視楕円形で断面中空状の筐体を構成する装置本体１１０の内部に、発光ダイオード１４０と、該発光ダイオード１４０の発光パターンを制御するプリント基板１５０と、発光ダイオード１４０及びプリント基板１５０に電気を供給する電池１６０と、該電池１６０を収容する電池ケース１７０とを収容するとともに、装置本体１１０の表面側、つまり上面側に、発光ダイオード１４０の発光パターンを選択する押下スイッチ１８０を備えている。
【００２９】
装置本体１１０は、図２及び図４に示すように、幅広な平面視楕円形で断面中空状となるように、上面が開口したベース体１２０と下面が開口したカバー体１３０との開口部同士を対向させて組み付けた状態で接着固定して構成されている。  
【００３０】
そして、装置本体１１０は、ベース体１２０とカバー体１３０との境界部分において、幅方向Ｗにおける両側に、靴紐２０を挿入可能な靴紐挿入部１１１と、前後方向Ｌにおける両側に、電池ケース１７０の挿入を許容するケース挿入孔１１２とを備えている。
【００３１】
靴紐挿入部１１１は、装置本体１１０の側壁部分から内部及び外部に突出する円柱状に形成されており、装置本体１１０の内部と外部とを連通する円筒状の孔を形成している。この靴紐挿入部１１１は、ベース体１２０及びカバー体１３０の境界を跨ぐように配置されており、内径が靴紐２０の外径と発光ダイオード１４０の外径と同径となるように形成されている。
【００３２】
ケース挿入孔１１２は、装置本体１１０の内部空間に貫通する孔であって、前方Ｌｆ側に形成した孔よりも後方Ｌｒ側に形成した孔の方が大きくなるように形成しており、それぞれがベース体１２０及びカバー体１３０の境界を跨ぐように形成されている。
【００３３】
なお、ケース挿入孔１１２，１１２は、後方Ｌｒ側の孔をケース挿入口１１２ａとし、前方Ｌｆ側に形成した孔をケース保持部１１２ｂとし、後方Ｌｒ側に形成した孔から電池ケース１７０をスライドするように装置本体１１０の内部に挿入することを許容し、前方Ｌｆ側に形成した孔の外縁のうち、装置本体１１０の内部側に電池ケース１７０が当接して、電池ケース１７０を装置本体１１０に保持する。
【００３４】
装置本体１１０の裏面側、つまり下方側を構成するベース体１２０は、上方の面が開口する箱状に形成され、平面視楕円形の底板１２１と、底板１２１の外縁から上方に突出する側壁１２２とで構成されている。
【００３５】
底板１２１は、中央が上方にわずかに突出するように、幅方向Ｗに沿って湾曲した面に形成され、幅方向Ｗにおける両端側に、装置本体１１０の内部に収容した発光ダイオード１４０が発する光を装置本体１１０の外部に放出する窓部１２３を形成するとともに、下面１２４に、下方にわすかに突出する複数の滑り止め部１２５を整列配置している。  
窓部１２３は、底板１２１の幅方向Ｗの両側における後方Ｌｒ側に形成されており、滑り止め部１２５は、略半球状に形成されている。
【００３６】
側壁１２２は、幅方向Ｗの両側に、幅方向Ｗに沿って配置した挿入構成部１２６を備えている。  
挿入構成部１２６は、円筒状の靴紐挿入部１１１を、該靴紐挿入部１１１の中心軸に沿って半分に切断した半円筒状であり、上方が開口する断面半円溝形状を形成している。さらに、挿入構成部１２６は、ベース体１２０の内部及び外部に突出するように配置されている。
【００３７】
装置本体１１０の表面側、つまり上方側を構成するカバー体１３０は、下方の面が開口する箱状に形成され、ベース体１２０の底板１２１と略一致する平面視楕円形の天板１３１と、天板１３１の外縁から下方に突出する側壁１３２とで構成されている。
【００３８】
天板１３１は、幅方向Ｗにおける両端側に、装置本体１１０の内部に収容した発光ダイオード１４０の光を装置本体１１０の外部に放出する窓部１３３を形成するとともに、略Ｔ字状の押下スイッチ１８０を、天板１３１と押下スイッチ１８０との上面同士が略一致するように、中央部分に嵌め込んで固定している。
【００３９】
窓部１３３は、底板１３１の幅方向Ｗの両側における後方Ｌｒ側に形成されている。つまり、窓部１３３は、ベース体１２０とカバー体１３０とを組み付けた状態において、ベース体１２０の窓部１２３と対向するように配置されている。
【００４０】
側壁１３２は、幅方向Ｗの両側に、幅方向Ｗに沿って配置した挿入構成部１３４を備えている。  
挿入構成部１３４は、円筒状の靴紐挿入部１１１を、該靴紐挿入部１１１の中心軸に沿って半分に切断した半円筒状であり、上方が開口する断面半円溝形状を形成している。さらに、挿入構成部１３４は、カバー体１３０の内部及び外部に突出するように配置されている。
【００４１】
なお、ベース体１２０の挿入構成部１２６及びカバー体１３０の挿入構成部１３４は、ベース体１２０とカバー体１３０との組み付け状態において、上述した円筒状の孔が形成された靴紐挿入部１１１を構成する。
【００４２】
発光ダイオード１４０は、幅方向Ｗにおけるプリント基板１５０の両端部付近に１つずつ備えられ、それぞれの先端側が靴紐挿入部１１１，１１１の内部に位置している。  
これら発光ダイオード１４０，１４０は、それぞれの先端部分が互いに向き合う方向と反対方向、つまり、幅方向Ｗの外側に向けて配置されている。なお、発光ダイオード１４０は、外径が靴紐挿入部１１１と内径と同径となるように形成されている。
【００４３】
プリント基板１５０は、発光ダイオード１４０を発光を制御するための制御機器（図示省略）が搭載されており、この制御機器によって、発光ダイオード１４０を３通り（消灯を除く）の発光パターンに基づいて発光させることができる。より具体的には、押下スイッチ１８０の押下を繰り返すことで、発光ダイオード１４０を点灯、早い点滅、遅い点滅、消灯の順に切り替えることができる。
【００４４】
このプリント基板１５０は、裏面側つまり下面側に、電池１６０の負極に接触する負極側接触部１５１と、電池１６０の正極に接触するように適宜の形状に曲げた金属製の正極側接続部１５２とを備えている。
【００４５】
負極側接触部１５１は、わずかに下方に突出しており、電池１６０の負極と接触して導通する。  
正極側接続部１５２は、横長の金属板を、幅方向Ｗに沿って電池ケース１７０を囲繞するように、上向きコ字状に曲げており、発光ダイオード１４０，１４０よりも幅方向Ｗの内部側に位置するようにプリント基板１５０に備えられている。
【００４６】
そして、正極側接続部１５２は、電池１６０の正極と接触する部分をわずかに上方に曲げた正極側接触タブ１５２ａを備えている。この正極側接触タブ１５２ａは、電池１６０を挿入すると下方に押し込まれ、電池１６０を取り出すと上方に戻る弾性を有している（図６（ａ）から図６（ｂ）参照）。
【００４７】
電池１６０は、市販されているボタン型の電池であって、本実施形態では表裏方向Ｈに２つを重ねて使用している。  
なお、電池１６０は、発光ダイオード１４０を発光させることができれば、電圧などの仕様は問わない。
【００４８】
電池ケース１７０は、図５（ａ）に示すように、前方Ｌｆ側の面と後方Ｌｒ側の面との外形が平面視において装置本体１１０の外形と略一致するように、平面視略四角形に形成されている。
【００４９】
この電池ケース１７０は、平面視円形に形成した電池収容孔１７１を中央部分に備えるとともに、正面側の幅方向Ｗにおける両端部に、表裏方向Ｈに沿って外形を窪ませた窪み部１７２を備え、窪み部１７２，１７２の間に位置する電池ケース１７０の前方Ｌｆ側に突出部１７３を備えている。  
さらに、電池ケース１７０は、幅方向Ｗに対向する面を前後方向Ｌに沿って平面状に形成した対向平面１７４，１７４を備えている。
【００５０】
なお、電池ケース１７０を装置本体１１０の内部に挿入した状態において、突出部１７３は、上述したケース保持部１１２ｂに嵌合する大きさに形成されており、対向平面１７４，１７４は、上述したケース挿入口１１２ａにスライド挿入可能な大きさに形成されている。
【００５１】
したがって、電池ケース１７０は、図５（ｂ）に示すように、表裏方向Ｈに重ねた２つの電池１６０を電池収容孔１７１に収容可能であるとともに、窪み部１７２によって、前方Ｌｆ側の面の幅を後方Ｌｒ側の面の幅よりも幅方向Ｗにおいて短く形成されている。
【００５２】
なお、本実施形態における靴紐発光装置１０は、電池１６０を２つ用いて発光ダイオード１４０を発光させ、２つ重ねた電池１６０を収容することができる電池ケース１７０を備えたが、これだけに限らず、発光ダイオード１４０を発光させることができれば、電池１６０を１つのみ、あるいは３つ以上用いてもよく、この場合における電池ケース１７０は、用いる電池１６０を収容可能な電池収容孔１７１を備えなければならない。
【００５３】
押下スイッチ１８０は、図６（ｂ）及び図６（ｃ）に示すように、上方から押下されることで下端部がプリント基板１５０に接触し、発光ダイオード１４０を発光させたり、発光パターンを変更させたり、あるいは消灯させたりすることができる。
【００５４】
靴紐２０は、断面円形となるように、可撓性を有する透明な合成樹脂で形成され、ひも靴２の紐穴２ａに挿通可能であるとともに、靴紐挿入部１１１に挿入可能な大きさに形成されている。つまり、この靴紐２０は、外径が靴紐挿入部１１１の内径と発光ダイオード１４０の外径と同径となるように形成されている。
【００５５】
なお、靴紐２０は、断面円形に形成したものだけに限らず、例えば、断面矩形や断面星形など、所望の形状に形成されたものであってもよく、また、はさみなどで適宜の長さに切断して、所望の長さに加工することができる。
【００５６】
以上のように構成した靴紐発光ユニット１は、ベース体１１０とカバー体１２０とを組み付けて構成した装置本体１１０の内部において、電池１６０を収容した電池ケース１７０を略中央部分に配置している。
【００５７】
そして、靴紐発光ユニット１は、装置本体１１０の内部において、電池ケース１７０の上方にプリント基板１５０を配置し、装置本体１１０を構成するカバー体１３０の天板１３１の略中央部分に押下スイッチ１８０を固定している。
【００５８】
さらに、靴紐発光ユニット１は、挿入構成部１２６，１３４が組み合って構成した靴紐挿入部１１１，１１１の内部において、装置本体１１０の内部側に発光ダイオード１４０，１４０の先端側を配置するとともに、発光ダイオード１４０よりも装置本体１１０の外部側に靴紐２０の先端側の挿入を許容する。
【００５９】
つまり、発光ダイオード１４０及び靴紐２０は、靴紐挿入部１１１の同心上で対向するように配置され、それぞれの外面が靴紐挿入部１１１の内面と接している。
【００６０】
さらにまた、靴紐発光ユニット１は、装置本体１１０に電池ケース１７０を挿入した状態において、ケース挿入口１１２ａとケース保持部１１２ｂとを、電池ケース１７０の前方Ｌｆ側の面と後方Ｌｆ側の面とで塞いでいる。  
このとき、電池ケース１７０の窪み部１７２，１７２は、ケース保持部１１２ｂの外縁に当接し、電池ケース１７０が前方Ｌｆに抜け出ることを防止している。
【００６１】
上述のように構成した靴紐発光ユニット１は、ひも靴２の紐穴２ａに挿通して編み上げた靴紐２０を適宜の長さに切断して、靴紐２０の両端部を、それぞれ靴紐発光装置１０の靴紐挿入部１１１に挿入して使用する。  
このとき、靴紐発光装置１０は、ケース保持部１１２ｂが前方Ｌｆを向くように、ベース体１２０の下面１２４をひも靴２の甲の部分に対向配置される。
【００６２】
ひも靴２に取り付けられた靴紐発光ユニット１は、押下スイッチ１８０を押下することで発光ダイオード１４０を発光させる。  
なお、発光ダイオード１４０は、上述したように、本実施形態において、３通りの発光パターンを選択することができる。
【００６３】
電池１６０を取り換える場合は、装置本体１１０のケース保持部１１２ｂに嵌合している電池ケース１７０の突出部１７３を、装置本体１１０の外部から内部に向けて押し込んで装置本体１１０から電池ケース１７０を取り外して電池１６０を取り換える。
【００６４】
上述のように構成した靴紐発光ユニット１は、以下のような作用効果を奏することができる。  
本実施形態における靴紐発光ユニット１を取り付けたひも靴２は、装置本体１１０における下面１２４を、ひも靴２の甲の部分に沿った円弧状に形成するとともに、下面１２４に略半球状に突出する滑り止め部１２５を複数形成し、靴紐２０を、可撓性を有する長尺状に形成したことにより、装着による違和感を低減するとともに、装着性を向上することができる。
【００６５】
詳しくは、ひも靴２の紐穴２ａに挿通して編み上げた靴紐２０の両端部を靴紐発光装置１０の靴紐挿入部１１１に挿入すると、挿入状態の靴紐２０が有する可撓性を有するによってベース体１２０の下面１２４に備えた滑り止め部１２５はひも靴２の甲の部分に押し付けられ、摩擦抵抗が増大して滑り難くなる。  
したがって、ひも靴２の所定の位置に靴紐発光装置１０を保持することができる。
【００６６】
本実施形態における靴紐発光ユニット１は、光を導光するとともに、透明な合成樹脂で形成し、可撓性を有する長尺状の靴紐２０と、発光ダイオード１４０を装置本体１１０の内部に備えた靴紐発光装置１０とで構成し、装置本体１１０に、靴紐２０の端部の挿入を許容する靴紐挿入部１１１を備え、発光ダイオード１４０を、装置本体１１０の内部において、靴紐挿入部１１１に挿入した靴紐２０の端面と対向する位置に配置したことにより、様々なひも靴２に装着して利用することができる。
【００６７】
詳述すると、光を導光するとともに、透明な合成樹脂で形成し、可撓性を有する長尺状の靴紐２０を、ひも靴２の紐穴２ａに通して編み上げ、発光ダイオード１４０を装置本体１１０の内部に備えた靴紐発光装置１０における装置本体１１０の靴紐挿入部１１１に靴紐２０の端部の挿入し、装置本体１１０の内部において、靴紐挿入部１１１に挿入した靴紐２０の端面と対向する位置に配置した発光ダイオード１４０が発光することで、発光ダイオード１４０が発光した光を靴紐２０より外部から視認可能に導光することができる。
【００６８】
つまり、靴紐２０は、発光ダイオード１４０で発光した光を導光することで、あたかも靴紐２０自体が発光したかのように光を発することができる。  
したがって、使用者の足に合った靴、あるいは使用者が好むデザインや機能の靴であっても、靴紐２０を発光させ、例えば、夜間や暗闇の中であっても、視認性やデザイン性を向上することができる。
【００６９】
本実施形態における靴紐発光ユニット１は、靴紐挿入部１１１を、装置本体１１０の幅方向Ｗ両側に配置するとともに、装置本体１１０における幅方向Ｗ中央に、発光器に電源を供給する電池１６０を配置し、発光ダイオード１４０を、装置本体１１０の内部における、電池１６０と靴紐挿入部１１１との間にそれぞれ配置することにより、長尺状の靴紐２０の両端面のそれぞれを別々の発光ダイオード１４０に対向させることができる。そのため、長尺状の靴紐２０の発光量を増大することができる。さらには、例えば、異なる色の発光ダイオード１４０を配置した場合、長尺状の靴紐２０を長手方向において異なる色で発光することができる。
【００７０】
本実施形態における靴紐発光ユニット１は、電池１６０の収容を許容する電池ケース１７０を備え、該電池ケース１７０に、装置本体１１０に対して、後方Ｌｒ側からスライドして挿入可能な対向平面１７４，１７４と、収容状態から前方Ｌｆ側に抜け出ることを防止する窪み部１７２とを備えたことにより、容易に電池１６０を取り替えることができ、利便性を向上することができる。
【００７１】
また、電池ケース１７０に、窪み部１７２を備えているため、使用状態において、電池１６０が不用意に前方Ｌｆ側に抜け出ることがなく、確実に使用することができる。さらに、電池１６０を取り換える必要がある場合においても、螺子などを用いてないため、電池１６０を容易に取り換えることができる。
【００７２】
本実施形態における靴紐発光ユニット１は、装置本体１１０に、内部に配置した発光ダイオード１４０で発光した光を外部に向かって放出する窓部１２３，１３３を備えることにより、装置本体１１０自体からも発光するため、視認性やデザイン性をより向上することができる。
【００７３】
本実施形態における靴紐発光ユニット１は、装置本体１１０における下面１２４を、ひも靴２の甲の部分に沿った円弧状に形成するとともに、下面１２４に略半球状に突出する滑り止め部１２５を複数形成することにより、装着による違和感を低減するとともに、装着性を向上することができる。
【００７４】
具体的には、装置本体１１０における下面１２４を、ひも靴２の甲の部分に沿った円弧状に形成することによって、装着状態において、下面１２４が平坦である場合に比べて、フィットするため、違和感を抑制することができる。
【００７５】
また、下面１２４に略半球状に突出する滑り止め部１２５を複数形成しているため、使用状態において、靴紐発光装置１０が振動によってひも靴２に対して相対移動することを抑制でき、使用時における違和感を低減することができる。
【００７６】
本実施形態における靴紐発光ユニット１は、光を発光する光源を、発光ダイオード１４０で構成したことにより、消費電力が少なく、耐久性が高い発光装置を構成することができる。
【００７７】
本実施形態における靴紐発光装置１０は、電池ケース１７０の前方Ｌｆ側の面と後方Ｌｒ側の面との外形が平面視において装置本体１１０の外形と略一致するように、平面視略四角形に形成したことにより、靴紐発光装置１０を小型化することができるとともに、電池ケース１７０を容易に取り出すことができる。
【００７８】
詳述すると、靴紐発光装置１０のケース挿入孔１１２のうち、ケース保持部１１２ｂを形成せず、ケース挿入口１１２ａのみを形成すると、板厚分装置本体１１０は大きくなる。  
しかし、装置本体１１０の前後方向Ｌに対向する部分にケース挿入口１１２ａとケース保持部１１２ｂを形成したことにより、装置本体１１０は、電池ケース１７０を内部に収容するために必要最低限の大きさに形成することができる。
【００７９】
本実施形態における靴紐２０は、光を導光するとともに、透明な合成樹脂で形成し、可撓性を有する長尺状に形成したことにより、はさみなどで切断するだけで、様々なサイズのひも靴２に使用することができる。
【００８０】
この発明の構成と、上述の実施形態との対応において、
この発明の発光器及び発光ダイオードは、発光ダイオード１４０に対応し、
以下同様に、
電池収容ケースは、電池ケース１７０に対応し、
抜け出し防止手段は、窪み部１７２に対応し、
スライド手段は、対向平面１７４に対応し、
筐体は、装置本体１１０に対応し、
裏側面は、下面１２４に対応し、
高さ方向は、前後方向Ｌに対応するが、
この発明は、上述の実施形態の構成のみに限定されるものではなく、多くの実施の形態を得ることができる。
【００８１】
上記構成によれば、靴紐２０を透明な合成樹脂で構成したが、光を透過することができれば、無色透明、有色透明、半透明であってもよい。  
さらには、一部が不透明であってもよく、不透明部分は、靴紐２０の長手方向に所定間隔を隔てて備えてもよいし、靴紐２０の周方向に所定間隔を隔てて備えてもよい。  
これにより、靴紐発光装置１０における靴紐２０のデザイン性を向上させることができる。
【００８２】
上記構成によれば、装置本体１１０を平面視楕円形にとなるように、中空状に形成したが、中空状の内部に各部品を配置できれば、適宜形状に形成してもよい。  
これにより、靴紐発光装置１０のデザイン性を、より向上させることができる。
【００８３】
上記構成によれば、光を発光するものとして発光ダイオード１４０を用いたが、光を発光することができれば、発光ダイオード１４０だけに限らず、豆電球などであってもよい。さらには、例えば、異なる色の発光ダイオード１４０を配置してもよく、この場合、長尺状の靴紐２０を長手方向において異なる色で発光することができる。
【符号の説明】
【００８４】
１…靴紐発光ユニット
２…ひも靴
２ａ…紐穴
１０…靴紐発光装置
１１０…装置本体
１１１…靴紐挿入部
１１２…ケース挿入孔
１１２ａ…ケース挿入口
１１２ｂ…ケース保持部
１２０…ベース体
１３０…カバー体
１２１…底板
１３１…天板
１２２，１３２…側壁
１２３，１３３…窓部
１２４…下面
１２５…滑り止め部
１２６，１３４…挿入構成部
１４０…発光ダイオード
１５０…プリント基板
１５１…負極側接触部
１５２…正極側接続部
１５２ａ…正極側接触タブ
１６０…電池
１７０…電池ケース
１７１…電池収容孔
１７２…窪み部
１７３…突出部
１７４…対向平面
１８０…押下スイッチ
２０…靴紐
Ｗ…幅方向
Ｈ…表裏方向
Ｌ…前後方向
Ｌｆ…前方
Ｌｒ…後方
【図１】
2016039000.tif 000003
【図２】
2016039000.tif 000004
【図３】
2016039000.tif 000005
【図４】
2016039000.tif 000006
【図５】
2016039000.tif 000007
【図６】
2016039000.tif 000008